(57)【要約】【課題】エナメル線が細い場合で断線することなくエナメル線を接続端子に接続できるワイヤーハーネス用コネクターを提供すること。【解決手段】コネクタ本体１は、間隔をおいて並設された複数の端子保持部３Ｌ，３，・・・，３，３Ｒと、端子保持部３Ｌ，３，・・・，３，３Ｒを一体に連結する連結部４を備えている。隣接する端子保持部３Ｌ，３，・・・，３，３Ｒ間には連結部４を除いた部分にハーネス用スリット５が形成され、各端子保持部３Ｌ，３，・・・，３，３Ｒには各接続端子２がそれぞれ保持され、接続端子２のハーネス接続部２ｃはハーネス用スリット５内に連結部４に近接して配設され、ワイヤーハーネス１１の一端部１１ａはハーネス用スリット５内においてハーネス接続部２ｃに接着または溶着若しくは半田付けにより固着され、ワイヤーハーネス１１は連結部４及びハーネス接続部２ｃに１回以上捲回され且つハーネス押さえ部材１４で固定されたハーネス捲回部１２を有する。【選択図】図１１
2009295426.tif 000002
【特許請求の範囲】
【請求項１】
コネクタ本体に複数の接続端子が並設保持されていると共に、前記各接続端子のハーネス接続部にワイヤーハーネスの端部がそれぞれ接続されたワイヤーハーネス用コネクターにおいて、
前記コネクタ本体は間隔をおいて並設された複数の端子保持部と該複数の端子保持部を一体に連結する連結部を備え、隣接する前記端子保持部間には前記連結部を除いた部分にハーネス用スリットが形成され、前記各端子保持部には前記各接続端子がそれぞれ保持されていると共に、
前記複数の接続端子のハーネス接続部は前記複数のハーネス用スリット内に前記連結部に近接してそれぞれ配設され、前記ワイヤーハーネスの端部はハーネス用スリット内において前記ハーネス接続部に接着または溶着若しくは半田付けにより固着され、前記ワイヤーハーネスは前記連結部及び前記ハーネス接続部に１回以上捲回され且つ固定手段で固定されたハーネス捲回部を有することを特徴とするワイヤーハーネス用コネクター。
【請求項２】
請求項１に記載のワイヤーハーネス用コネクターにおいて、前記端子保持部の端面に開口する端子保持穴が前記各端子保持部にそれぞれ形成され、前記端子保持穴及び前記端子保持部の一側の前記ハーネス用スリットを連通させる端子用スリットが前記各端子保持部にそれぞれ形成されていると共に、前記各接続端子が前記各端子保持穴にそれぞれ嵌着され、且つ前記端子保持穴に嵌着された接続端子のハーネス接続部は前記端子用スリットを介して前記ハーネス用スリット内に配設されていることを特徴とするワイヤーハーネス用コネクター。
【請求項３】
請求項２に記載のワイヤーハーネス用コネクターにおいて、前記隣接する端子保持部の一方には前記端子用スリットが形成され、前記隣接する端子保持部の他方には前記端子用スリットに対向する端子保持溝が形成されていると共に、前記端子保持溝には前記ハーネス接続部の先端部が係合保持されていることを特徴とするワイヤーハーネス用コネクター。
【請求項４】
請求項１〜３のいずれか一つに記載のワイヤーハーネス用コネクターにおいて、前記固定手段は前記各ハーネス用スリット内にそれぞれ挿入されて前記ハーネス捲回部を押さえるハーネス押さえ部材であることを特徴とするワイヤーハーネス用コネクター。
【請求項５】
請求項４に記載のワイヤーハーネス用コネクターにおいて、前記ハーネス押さえ部材は、前記複数の端子保持部に跨って配設されて前記コネクタ本体に固定された押さえ部材本体と、前記押さえ部材本体と一体に設けられ且つ前記各ハーネス用スリット内にそれぞれ挿入されて前記ハーネス捲回部をそれぞれ押さえる複数のハーネス押さえ部を備えることを特徴とするワイヤーハーネス用コネクター。
【請求項６】
請求項５に記載のワイヤーハーネス用コネクターにおいて、前記各端子保持部材は前記押さえ部材本体を係合させる凹部を有することを特徴とするワイヤーハーネス用コネクター。
【請求項７】
請求項１〜６のいずれか一つに記載のワイヤーハーネス用コネクターにおいて、前記複数の端子保持部の両端のものには前記ハーネス捲回部に対応してコネクタ本体回転用の支持軸が設けられていることを特徴とするワイヤーハーネス用コネクター。
【発明の詳細な説明】
【技術分野】
【０００１】
この発明は、ワイヤーハーネスを接続するためのワイヤーハーネス用コネクターに関するものである。
【背景技術】
【０００２】
この種の配線用コネクタとしては、ハウジングに横方向に向けて等間隔で複数の隔壁を設けることにより、隔壁で区画された端子収容室をハウジングに横方向に複数並設し、ワイヤーハーネス（電線）の芯線に圧接刃を圧接させた圧接端子を各端子収容室にそれぞれ配設した圧接コネクタが知られている（例えば、特許文献１参照）。
【０００３】
この圧接コネクタでは、ハウジングの横方向に向けて延びる縦壁状の一対の圧接刃を間隔をおいて各圧接端子に設け、この一対の圧接刃間に上方に開放し且つワイヤーハーネスの直径よりも狭いスリットを形成して、このスリットに上方からワイヤーハーネスを押し込むことにより、一対の圧接刃が電線の側部の被覆を部分的に削り取って被覆内の芯線に圧接させるようにしている。
【特許文献１】特許第２９２９４２０号公報
【発明の開示】
【発明が解決しようとする課題】
【０００４】
ところで、例えば小型化・軽量化のためにワイヤーハーネスにエナメル線を用いることが考えられる。しかし、エナメル線は、導電性の芯線の外表面に絶縁層を焼き付け固着したものであって、樹脂チューブ等の樹脂皮膜が無いものであった。このため、芯線を圧接端子の一対の圧接刃間に押し込んで圧接保持させた場合、圧接刃による切れ込みが芯線に生じ、芯線の強度が低下しやすいという問題があった。
【０００５】
しかも、この芯線を圧接端子の一対の圧接刃間に押し込む際に、エナメル線にテンションが掛かるため、エナメル線が細い場合には断線する虞があった。
【０００６】
そこで、この発明は、エナメル線が細い場合で断線することなくエナメル線を接続端子に接続できるワイヤーハーネス用コネクターを提供することを目的とするものである。
【課題を解決するための手段】
【０００７】
この目的を達成するため、この発明は、コネクタ本体に複数の接続端子が並設保持されていると共に、前記各接続端子のハーネス接続部にワイヤーハーネスの端部がそれぞれ接続されたワイヤーハーネス用コネクターにおいて、前記コネクタ本体は間隔をおいて並設された複数の端子保持部と該複数の端子保持部を一体に連結する連結部を備え、隣接する前記端子保持部間には前記連結部を除いた部分にハーネス用スリットがそれぞれ形成され、前記各端子保持部には前記各接続端子がそれぞれ保持されていると共に、前記複数の接続端子のハーネス接続部は前記複数のハーネス用スリット内に前記連結部に近接してそれぞれ配設され、前記ワイヤーハーネスの端部はハーネス用スリット内において前記ハーネス接続部に接着または溶着若しくは半田付けにより固着され、前記ワイヤーハーネスは前記連結部及び前記ハーネス接続部に１回以上捲回され且つ固定手段で固定されたハーネス捲回部を有するワイヤーハーネス用コネクターとしたことを特徴とする。
【発明の効果】
【０００８】
この構成によれば、エナメル線が細い場合で断線することなくエナメル線を接続端子に接続することができる。
【発明を実施するための最良の形態】
【０００９】
以下、この発明の実施の形態のワイヤーハーネス用コネクターを図面に基づいて説明する。
【００１０】
図１において、この発明に係るワイヤーハーネス用コネクターはコネクタ本体１と接続端子２を有する。このコネクタ本体１は、図１〜図３に示したように、左端の角柱状の端子保持部３Ｌと、右端の角柱状の端子保持部３Ｒと、端子保持部３Ｌ，３Ｒ間に間隔をおいて平行に並設された複数の角柱状の端子保持部３と、複数の端子保持部３Ｌ，３，・・・，３，３Ｒを図４のようにそれぞれ一体に連結する連結部４を備えている。
【００１１】
これにより、隣接する端子保持部３Ｌ，３間、隣接する端子保持部３，３間、及び隣接する端子保持部３，３Ｒ間には、連結部４を除いた部分にハーネス用スリット５がそれぞれ形成されている。尚、ハーネス用スリット５は、複数の端子保持部３Ｌ，３，・・・，３，３Ｒの長手方向の両端側に開放している。また、各連結部４は、端子保持部３Ｌ，３，・・・，３，３Ｒの他端部側に配置されている。
【００１２】
また、端子保持部３Ｌ，３，・・・，３には、長手方向に延び且つ一端面に開口する端子保持穴６がそれぞれ形成されている。しかも、各端子保持部３Ｌ，３，・・・，３の並設方向（配列方向）の一側面Ｓａにはハーネス用スリット５及び端子保持穴６に連通する端子用スリット７が形成され、各端子保持部３，・・・，３，３Ｒの並設方向（配列方向）の他側面Ｓｂには端子保持溝８が形成されている。これにより、隣接する複数の端子保持部３Ｌ，３，・・・，３，３Ｒの端子用スリット７と端子保持溝８は互いに対向している。
【００１３】
尚、各端子用スリット７は、端子保持部３Ｌ，３，・・・，３の長手方向に延びていると共に、端子保持部３Ｌ，３，・・・，３の一端面にそれぞれ開放している。また、各端子保持溝８は、端子保持部３，・・・，３，３Ｒの長手方向に延びていると共に、端子保持部３，・・・，３，３Ｒの一端面にそれぞれ開放している。また、端子保持部３Ｌ，３，・・・，３，３Ｒには、他端部側に位置させて凹部９を有する。
【００１４】
更に、接続端子２は、スリット２ａ１で切円状に形成された筒部２ａと、筒部２ａに連設された先細りテーパ状の半円筒部２ｂと、半円筒部２ｂに一体に形成された板状のハーネス接続部２ｃを有する。尚、半円筒部２ｂは、先細りテーパ状に形成されているので、端子保持穴６に挿入しやすくなっている。
【００１５】
そして、先細りテーパ状の半円筒部２ｂ側を端子保持穴６に挿入すると共に、板状のハーネス接続部２ｃの基部側を端子用スリット７に係合させ、板状のハーネス接続部２ｃの先端部を端子保持溝８に係合させた状態で、筒部２ａ全体を図２の如く端子保持穴６内に軽く圧入することにより、接続端子２は端子保持穴６内に保持されている。この状態では、ハーネス接続部２ｃが図７のように連結部４に近接している。また、ハーネス接続部２ｃは、基部と先端部が端子用スリット７と端子保持溝８とにより両持支持（保持）される状態となっているので、筒部２ａを中心に回動することが規制されている。尚、このような接続端子２は各端子保持穴６に保持されている。
【００１６】
また、ハーネス接続部２ｃの上面（一面）には図１のようにペースト半田１０が塗布されている。このペースト半田１０は、接続端子２を端子保持穴６内に保持させる前、又は接続端子２を端子保持穴６内に保持させた後に、ハーネス接続部２ｃに塗布することができる。
【００１７】
更に、ハーネス接続部２ｃの上面には、エナメル線等のワイヤーハーネス１１の一端部１１ａがペースト半田１０により半田付けされている。尚、ワイヤーハーネス１１の一端部１１ａは、導電接着剤でハーネス接続部２ｃに接着（固着）しても良いし、超音波溶接によりハーネス接続部２ｃに溶接固定（溶着、固着）しても良いし、電気抵抗熱溶接によりハーネス接続部２ｃに溶接固定（溶着、固着）してもよい。
【００１８】
そして、コネクタ本体１を図５の矢印Ａ０及び図８の矢印Ａの方向に回転させて、図９のようにワイヤーハーネス１１の端部近傍の部分をハーネス接続部２ｃ及び連結部４に同時に一回以上（複数回）捲回して、ハーネス接続部２ｃ及び連結部４の周囲にハーネス捲回部１２を形成する。このハーネス捲回部１２は、上述した凹部９に対応して形成される。尚、図１に破線で示したように、端子保持部３Ｌ，３Ｒに支持軸１３Ｌ，１３Ｒを同軸設けて、この支持軸１３Ｌ，１３Ｒを中心にコネクタ本体１を図８の矢印Ａ方向に回転させても良い。
【００１９】
また、コネクタ本体１上にはハーネス押さえ部材１４が配設されている（図１０，図１１参照）。このハーネス押さえ部材１４は、複数の端子保持部３Ｌ，３，・・・，３，３Ｒに跨る押さえ部材本体１４ａと、押さえ部材本体１４ａと一体に設けられ且つ各ハーネス用スリット５内にそれぞれ挿入されてハーネス捲回部１２をそれぞれ押さえる複数のハーネス押さえ部１４ｂを備えている。
【００２０】
尚、押さえ部材本体１４ａは、各端子保持部３Ｌ，３，・・・，３，３Ｒの凹部９内に配設されていると共に、上面が端子保持部３Ｌ，３，・・・，３，３Ｒの上面と略面一になるように、各端子保持部３Ｌ，３，・・・，３，３Ｒに固定されている。この固定は、接着剤等の固定手段で行っても良いし、押さえ部材本体１４ａに係止爪等の固定手段で行っても良いし、押さえ部材本体１４ａを超音波溶接等の固定手段により行っても良い。また、押さえ部材本体１４ａの両端に設けられた側板部１４ｂＬ，１４ｂＲは、端子保持部３Ｌ，３Ｒの側面に固着される。この固着も接着剤や超音波溶接等により行っても良い。
（その他）
上述した実施例では、接続端子２に筒部２ａを設けて、雄コネクタ（図示せず）のピン状プラグを嵌合接続するようにしたが、必ずしもこれに限定されるもいのではない。
【００２１】
例えば、図１３に示したような接続端子１５を端子保持部３Ｌ，３，・・・，３，３Ｒに保持させるようにしても良い。この接続端子１５は、扁平板状のプラグ（端子本体）１５ａと、このプラグ１５ａの基端部に折曲により垂直に設けられたハーネス接続部１５ｂを有する。
【００２２】
この接続端子１５を用いる場合には、図１に示した端子保持穴６を円形ではなく端面形状が長方形状になるように形成し、この端子保持穴６にプラグ１５ａを嵌着すると共に、ハーネス接続部１５ｂを図１の端子用スリット７に係合させるように用いる。尚、この場合も、ハーネス接続部１５ｂの先端部は図１の端子保持溝８に係合させる。
（変形例）
また、図１４に示したように、連結部４の上側に接続端子２が配設されるように形成しても良い。
【００２３】
以上説明したように、この発明の実施の形態のワイヤーハーネス用コネクターは、コネクタ本体１に複数の接続端子２が並設保持されていると共に、前記各接続端子のハーネス接続部２ｃにワイヤーハーネス１１の端部（一端部１１ａ）がそれぞれ接続されている。しかも、前記コネクタ本体１は、間隔をおいて並設された複数の端子保持部３Ｌ，３，・・・，３，３Ｒと、該複数の端子保持部３Ｌ，３，・・・，３，３Ｒを一体に連結する連結部４を備えている。また、隣接する前記端子保持部３Ｌ，３，・・・，３，３Ｒ間には前記連結部４を除いた部分にハーネス用スリット５が形成され、前記各端子保持部３Ｌ，３，・・・，３，３Ｒには前記各接続端子２がそれぞれ保持されている。更に、前記複数の接続端子２のハーネス接続部２ｃは前記複数のハーネス用スリット５内に前記連結部４に近接してそれぞれ配設され、前記ワイヤーハーネス１１の端部（一端部１１ａ）はハーネス用スリット５内において前記ハーネス接続部２ｃに接着または溶着若しくは半田付けにより固着され、前記ワイヤーハーネス１１は前記連結部４及び前記ハーネス接続部２ｃに１回以上捲回され且つ固定手段（ハーネス押さえ部材１４）で固定されたハーネス捲回部１２を有する。
【００２４】
この構成によれば、エナメル線が細い場合で断線することなくエナメル線を接続端子に接続できる。しかも、ハーネス捲回部１２があるために、ワイヤーハーネス１１の端部（一端部１１ａ）とハーネス接続部２ｃとの固着部に、ワイヤーハーネス１１からの引張り力等の外力が作用することがない。この結果、ワイヤーハーネス１１をコネクタ本体１に取付後に、ワイヤーハーネス１１の端部（一端部１１ａ）がハーネス接続部２ｃへの固着部から外れるようなことを未然に防止できる。
【００２５】
また、この発明の実施の形態のワイヤーハーネス用コネクターにおいて、前記端子保持部３Ｌ，３，・・・，３の端面に開口する端子保持穴６が前記各端子保持部３Ｌ，３，・・・，３にそれぞれ形成され、前記端子保持穴６及び前記端子保持部３Ｌ，３，・・・，３の一側の前記ハーネス用スリット５を連通させる端子用スリット７が前記各端子保持部３Ｌ，３，・・・，３にそれぞれ形成されていると共に、前記各接続端子２が前記各端子保持穴６にそれぞれ嵌着され、且つ前記端子保持穴６に嵌着された接続端子２のハーネス接続部２ｃは前記端子用スリット７を介して前記ハーネス用スリット５内に配設されている。
【００２６】
この構成によれば、接続端子２のコネクタ本体１への取付を容易に行うことができる。
【００２７】
また、この発明の実施の形態のワイヤーハーネス用コネクターにおいて、前記隣接する端子保持部３Ｌ，３，・・・，３の一方には前記端子用スリット７が形成され、前記隣接する端子保持部３，・・・，３Ｒの他方には前記端子用スリット７に対向する端子保持溝８が形成されていると共に、前記端子保持溝８には前記ハーネス接続部２ｃの先端部が係合保持されている。
【００２８】
この構成によれば、ハーネス接続部２ｃの基部と先端部が端子用スリット７と端子保持溝８により両持支持されるので、ハーネス接続部２ｃが安定保持される。
【００２９】
また、この発明の実施の形態のワイヤーハーネス用コネクターにおいて、前記固定手段は前記各ハーネス用スリット内にそれぞれ挿入されて前記ハーネス捲回部１２を押さえるハーネス押さえ部材１４である。
【００３０】
この構成によれば、ハーネス捲回部１２がハーネス押さえ部材１４で押さえ付けられるので、ワイヤーハーネス１１を接続後にハーネス捲回部１２が解けるのが防止される。
【００３１】
また、この発明の実施の形態のワイヤーハーネス用コネクターにおいて、前記ハーネス押さえ部材１４は、前記複数の端子保持部３Ｌ，３，・・・，３Ｒに跨って配設されて前記コネクタ本体１に固定された押さえ部材本体１４ａと、前記押さえ部材本体１４ａと一体に設けられ且つ前記各ハーネス用スリット５内にそれぞれ挿入されて前記ハーネス捲回部１２をそれぞれ押さえる複数のハーネス押さえ部１４ｂを備えている。
【００３２】
この構成によれば、複数の端子保持部３Ｌ，３，・・・，３Ｒ間にハーネス用スリット５を設けていても、押さえ部材本体１４ａにより複数の端子保持部３Ｌ，３，・・・，３Ｒが固定されるので、組付後は連結部４に無理な力が作用しない。
【００３３】
また、この発明の実施の形態のワイヤーハーネス用コネクターにおいて、前記各端子保持部材３Ｌ，３，・・・，３Ｒは前記押さえ部材本体１４ａを係合させる凹部９を有する。
【００３４】
この構成によれば、押さえ部材本体１４ａを凹部９内に配設することで、押さえ部材本体１４ａの外面と端子保持部３Ｌ，３，・・・，３Ｒの凹部９を設けた側の面を面一に形成できる。
【００３５】
また、この発明の実施の形態のワイヤーハーネス用コネクターにおいて、前記複数の端子保持部３Ｌ，３，・・・，３Ｒの両端のものには前記ハーネス捲回部１２に対応してコネクタ本体回転用の支持軸１３Ｌ，１３Ｒが設けられている。
【００３６】
この構成によれば、ハーネス捲回部１２を形成する際に、コネクタ本体１を支持軸１３Ｌ，１３Ｒを中心に容易に回転させることができる。
【図面の簡単な説明】
【００３７】
【図１】この発明に係るワイヤーハーネス用コネクターの分解斜視図である。
【図２】図１の接続端子を端子保持穴に嵌着した斜視図である。
【図３】図２のコネクタ本体を一端側から見た説明図である。
【図４】図２のＡ１−Ａ１線に沿う断面図である。
【図５】図２のワイヤーハーネスの端部をコネクタ本体のハーネス用スリット内に配設した状態を示す斜視図である。
【図６】図５のワイヤーハーネスの端部と接続端子との関係を示す説明図である。
【図７】図５のＡ２−Ａ２線に沿う断面図である。
【図８】図５のコネクタ本体を回転させてハーネス捲回部を形成する説明図である。
【図９】図８のコネクタ本体の回転により形成されるハーネス捲回部の説明図である。
【図１０】図８のハーネス捲回部を押さえるハーネス押さえ部材の説明図である。
【図１１】図１０のハーネス押さえ部材でハーネス捲回部を押さえ付けた状態の説明図である。
【図１２】図１１のコネクタ本体の図３と同様に一端側から見た説明図である。
【図１３】この発明に係る接続端子の他の例を示す説明図である。
【図１４】この発明に係るワイヤーハーネス用コネクターの連結部の変形例を示す説明図である。
【符号の説明】
【００３８】
１ コネクタ本体
２ 接続端子
２ｃ ハーネス接続部
３ 端子保持部
３Ｌ，３Ｒ 端子保持部
４ 連結部
５ ハーネス用スリット
６ 端子保持穴
７ 端子用スリット
８ 端子保持溝
９ 凹部
１０ ペースト半田
１１ ワイヤーハーネス
１１ａ 一端部
１２ ハーネス捲回部
１３Ｌ，１３Ｒ 支持軸
１４ ハーネス押さえ部材
１４ａ 押さえ部材本体
１４ｂ ハーネス押さえ部
【図１】
2009295426.tif 000003
【図２】
2009295426.tif 000004
【図３】
2009295426.tif 000005
【図４】
2009295426.tif 000006
【図５】
2009295426.tif 000007
【図６】
2009295426.tif 000008
【図７】
2009295426.tif 000009
【図８】
2009295426.tif 000010
【図９】
2009295426.tif 000011
【図１０】
2009295426.tif 000012
【図１１】
2009295426.tif 000013
【図１２】
2009295426.tif 000014
【図１３】
2009295426.tif 000015
【図１４】
2009295426.tif 000016